(57)【特許請求の範囲】
【請求項１】
折り畳み式ベッド（５０）であって、
折り畳み可能なロッド（５１０）を有し、少なくとも１つの軸に沿って折り畳み可能なフレーム（５０５）と、
少なくとも２本の脚（５１５）であって、各々の脚は、連結部（５２０）によってフレームに取り付けられており、前記連結部は、該脚を展開位置と折り畳み位置に配置することを可能にしている、少なくとも２本の脚と、を備え、
前記折り畳み可能なロッドは、前記折り畳み軸を挟んだ両側でそれぞれの連結部に関連付けられている、折り畳み式ベッドにおいて、
各々の連結部は、該連結部に貫通するオリフィス（５２５）を有し、
各々の脚は、２本の脚を接続するとともに前記フレームの前記折り畳み軸を横切るフレキシブルワイヤ（５３５）への取り付け具（５３０）を有し、前記ロッドが展開されているときには、前記ワイヤは伸張されて、前記ワイヤの張力により、前記脚を展開位置に配置する、ことを特徴とする折り畳み式ベッド。
【請求項２】
少なくとも１つのオリフィス（５２５）は、該連結部（５２０）に関連付けられた脚（５１５）の一端の形状に相補的な機械的形状を有し、前記連結部は、前記一端に嵌合するように構成されている、請求項１に記載の折り畳み式ベッド（５０）。
【請求項３】
前記オリフィス（５２５）は凹形状を有し、前記連結部の開口（５２５）の１つは、前記凹形状の最深点に概ね位置付けられており、他の開口は、前記凹形状の基点で実現されている、請求項２に記載の折り畳み式ベッド（５０）。
【請求項４】
前記オリフィス（５２５）は、概ね円錐形状を有し、前記円錐の底は、前記連結部に関連付けられた前記脚（５１５）の端の方向に向いており、前記オリフィスの開口の１つは、前記円錐の頂点に配置されている、請求項２または３に記載の折り畳み式ベッド（５０）。
【請求項５】
前記連結部（５２０）は、１つの側に、前記オリフィス（５２５）の２つの開口をつなぐ長手方向スロット（５４０）を有し、前記スロットは、前記オリフィスを通る前記ワイヤ（５３５）の幅よりも小さい断面幅を有する、請求項１〜４のいずれか一項に記載の折り畳み式ベッド（５０）。
【請求項６】
前記折り畳み可能なロッド（５１０）は、それぞれ連結部（５２０）に関連付けられた２つの直線状の剛性ロッド部分（５４５）を有し、前記２つのロッド部分は、同じオーダの大きさの長さを有し、関節継手（５５０）によって結合されており、これにより、
前記関節継手が展開されているときには、前記２つのロッド部分を、該ロッド部分の長さに沿って整列させ、
前記関節継手が折り畳まれているときには、前記２つのロッド部分を並列にする、請求項１〜５のいずれか一項に記載の折り畳み式ベッド（５０）。
【請求項７】
前記フレーム（６３５）を支持する少なくとも３本の脚（６３０）と、
前記脚、床、および前記フレームによって画成される容積で、前記フレームに吊下される可撓性支持部（６４０）であって、前記フレームの高さに上部開口を有する可撓性支持部と、
２本の脚によって画成される容積に対向した前記支持部の側面の１つにおいて、該側面上の側面開口を開口させる開口手段（６２５），（６４５）と、を備える、請求項１〜６のいずれか一項に記載のベッド（６０）。
【請求項８】
前記支持部（６４０）の下部は、各脚（６３０）の下端によって形成される平面と同一平面上にある、請求項７に記載のベッド（６０）。
【請求項９】
前記開口手段（６２５），（６４５）は、
前記側面に縦断する垂直スライドファスナ（６２５）と、
前記支持部（６４０）の下部に沿って延在する少なくとも１つの水平スライドファスナ（６４５）と、を有する、請求項７または８に記載のベッド（６０）。
【請求項１０】
前記フレーム（６３５）に取り付けられて、ベッドの天蓋のための支持体を形成する少なくとも１つのロッド（６０５）を備える、請求項７〜９のいずれか一項に記載のベッド（６０）。
【請求項１１】
少なくとも前記フレームおよび前記可撓性支持部（６４０）の前記上部開口を覆うように構成されたベッドの天蓋を備える、請求項１０に記載のベッド（６０）。
【請求項１２】
４本の脚（１０５），（２０５）と、
前記フレーム（１１０），（２１０）であって、
２つの「ロング」と呼ばれるロッド（１１５，２１５）であって、各々は、２つの直線状の「第１」と呼ばれる剛性ロッド部分（１２０，２２０）を有し、前記２つの第１ロッド部分は、同じオーダの大きさの長さを有し、「第１」と呼ばれる関節継手（２２５）によって結合されており、これにより、
前記第１関節継手が展開されているときには、前記２つの第１ロッド部分を、該ロッド部分の長さに沿って整列させ、
前記第１関節継手が折り畳まれているときには、前記２つの第１ロッド部分を並列にする、２つのロングロッドと、
前記ロングロッドよりも短尺の２つの「ショート」と呼ばれるロッド（１３０，２３０）であって、各々は、２つの直線状の「第２」と呼ばれる剛性ロッド部分（１３５，２３５）を有し、前記２つの第２ロッド部分は、同じオーダの大きさの長さを有し、「第２」と呼ばれる関節継手（１４０，２４０）によって結合されており、これにより、
前記第２関節継手が展開されているときには、前記２つの第２ロッド部分を、該ロッド部分の長さに沿って整列させ、
前記第２関節継手が折り畳まれているときには、前記２つの第２ロッド部分を並列にする、２つのショートロッドと、
前記ショートロッドと前記ロングロッドとの間の「第３」と呼ばれる４つの関節継手（１４５，２４５）であって、各々の第３関節継手は、
該第３関節継手が折り畳まれているときには、前記ショートロッドと前記ロングロッドを並列にし、
該第３関節継手が展開されているときには、前記ショートロッドと前記ロングロッドを略垂直に配置する、ように構成されている４つの第３関節継手と、
「第４」と呼ばれる４つの関節継手（１５０，２４５）であって、各々は、前記第１ロッド部分または前記第２ロッド部分に取り付けられるとともに、前記脚に関連付けられており、各々の第４関節継手は、
該第４関節継手が折り畳まれているときには、前記脚を前記第１ロッド部分に略平行な位置に配置し、
該第４関節継手が展開されているときには、前記脚を前記第１ロッド部分に略垂直な位置に配置する、ように構成されている４つの第４関節継手と、を有する前記フレームと、
可撓性支持部（１５５，２５０）であって、前記第１関節継手、前記第２関節継手、および前記第３関節継手が展開されているときに該支持部を前記フレームに固定するための、前記フレームへの取り付け手段（１６０，２５５）を有する可撓性支持部と、を備える、請求項１〜１１のいずれか一項に記載の折り畳み式ベッド（１００），（２０）。
【請求項１３】
各々の脚（１０５）は、前記第１ロッド部分の長さに略等しい長さを有する、請求項１２に記載の折り畳み式ベッド（１００）。
【請求項１４】
前記支持部（１５５）は、前記フレーム（１１０）に吊下される「メイン」と呼ばれる面であって、前記メイン面は、前記脚が展開されているときに少なくとも１本の脚（１０５）の基部に取り付ける手段（１６５）を有する、請求項１２または１３に記載の折り畳み式ベッド（１００）。
【請求項１５】
前記支持部（１５５）は、前記フレーム（１１０）から吊下されて、前記メイン面（１５５）の上方に配置される追加の面（１７０）を有する、請求項１４に記載の折り畳み式ベッド（１００）。
【請求項１６】
前記追加の面（１７０）は、取り外しおよび巻き上げが可能であり、前記支持部（１５５）は、前記追加の面を取り付けるための手段（１７５）を有する、請求項１５に記載の折り畳み式ベッド（１００）。
【請求項１７】
押しボタン（１８０）を含むロック装置（１８０）を備え、これは、前記ボタンが押圧されると、前記第２関節継手（１４０）の展開状態から折り畳み状態への移行を許可するように構成されている、請求項１２〜１６のいずれか一項に記載の折り畳み式ベッド（１００）。
【請求項１８】
前記支持部（１５５）の開閉手段（１９０）を備える、請求項１２〜１７のいずれか一項に記載の折り畳み式ベッド（１００）。
【請求項１９】
少なくとも１つの第１関節継手（２２５）および／または第２関節継手（２４０）は楕円形状を有し、該関節継手は、該関節継手に関連付けられた第１ロッド（２１５）または第２ロッド（２３５）に機械的に結合されており、該関節継手は、該関節継手に関連付けられた他方のロッドの、該２つのロッドで形成される平面に垂直な軸の周りでの変位を可能とするスロット（２６０）を有する、請求項１２〜１８のいずれか一項に記載の折り畳み式ベッド（２０）。
【請求項２０】
メッシュ（１９５）を備え、これは、前記フレームの前記ロッド（１１５，１３０）が展開されているときの取り付けのための、前記フレーム（１１０）への取り付け手段（１９７）を有する、請求項１２〜１９のいずれか一項に記載の折り畳み式ベッド（１００）。
【発明の詳細な説明】
【技術分野】
【０００１】
本発明の目的は、折り畳み式のベッドおよびラウンジャである。特に、本発明は、折り畳み・展開式の幼児用可搬家具に適用される。
【背景技術】
【０００２】
折り畳み式の可搬ベッドの質は、３つの主な基準によって測られる。
−  ベッドの重量、
−  折り畳んだときのベッドの体積、
−  ベッドの折り畳み／展開に要する時間。
【０００３】
現在のシステムでは、「天蓋付き」と呼ばれるベッドは、フレームを形成する４つのロッドの中央にそれぞれ配置された４つの関節継手を展開し、次いで折り畳み展開式の台板を押圧することによって、展開される。この折り畳み展開式の台板は、展開されているときには、マットレスの支持体、およびフレームの隅角部に関連付けられた脚の間での補強材、として機能する。このようなシステムは、特に、折り畳み展開式の台板が原因で、高重量であるという欠点を有する。
【０００４】
現在の他のシステムでは、そのようなベッドは、一軸に沿って折り畳み可能なフレームを備え、これは脚で支持されて、支持部が吊下されることでベッドを形成する。このようなシステムは、折り畳んだときに、大きな体積を占めるという欠点があり、これによって、ベッドを扱い難くしている。
【０００５】
このように、現在のシステムは、折り畳んだときの折り畳み式ベッドの体積、およびベッドの重量についての要件を十分に満たすものではない。
【０００６】
幼児用ラウンジャに関しては、開け広げることができるように金属ロッド上に取り付けられた布によって形成された取り外し不可能なシステムが知られている。このようなシステムは、重量と体積がともに極めて大きいという欠点を有する。
【０００７】
一部のシステムでは、折り畳み状態で伸張される布にロッドが揃うように、一軸に沿って折り畳み可能なロッドを有することによって、この嵩高という欠点を補っている。それでも、このようなシステムは、依然として、布の周囲のフレームが原因で、最小限の嵩高に関して不利なものである。
【０００８】
このように、現在のシステムで、ラウンジャの嵩高の制約を十分に満たすものは存在せず、これにより、利用者によるその持ち運びを不便にしている。
【発明の概要】
【発明が解決しようとする課題】
【０００９】
本発明は、これらの欠点の一部またはすべてを克服することを目的とする。
【課題を解決するための手段】
【００１０】
このため、第１の態様では、本発明の目的は、折り畳み式ベッドであって、
−  折り畳み可能なロッドを有し、少なくとも１つの軸に沿って折り畳み可能なフレームと、
−  少なくとも２本の脚であって、各々の脚は、連結部によってフレームに取り付けられており、連結部は、その脚を展開位置と折り畳み位置に配置することを可能にしている、少なくとも２本の脚と、を備え、
−  折り畳み可能なロッドは、折り畳み軸の両側でそれぞれの連結部に関連付けられており、
この構成において、
−  各々の連結部は、その連結部に貫通するオリフィスを有し、
−  各々の脚は、２本の脚を接続するとともにフレームの折り畳み軸を横切るフレキシブルワイヤへの取り付け具を有し、ロッドが展開されているときには、ワイヤは伸張されて、そのワイヤの張力により、脚を展開位置に配置する。
【００１１】
このような構成によって、脚の展開は、折り畳み可能なロッドを展開することにより機械的に自動化される。従って、この構成により、折り畳み式ベッドの展開に要する時間を短縮することが可能であるとともに、脚が連結部と係合しているシステムと比較して、折り畳み式ベッドを軽量化することが可能である。
【００１２】
いくつかの実施形態において、少なくとも１つのオリフィスは、その連結部に関連付けられた脚の一端の形状に相補的な機械的形状を有し、連結部は、該一端に嵌合するように構成されている。
【００１３】
このような実施形態によって、ワイヤが伸張されたときに、脚と連結部とのより良好な係合が可能となる。
【００１４】
いくつかの実施形態において、オリフィスは凹形状を有し、連結部の開口の１つは、凹形状の最深点に概ね位置付けられており、他の開口は、凹形状の基点で形成される。
【００１５】
このような実施形態の利点は、ワイヤが伸張されたときに、脚と連結部とのより良好な係合が可能となることである。
【００１６】
いくつかの実施形態において、オリフィスは、概ね円錐形状を有し、円錐の底は、その連結部に関連付けられた脚端の方向に向いており、オリフィスの開口の１つは、円錐の頂点に配置されている。
【００１７】
このような実施形態の利点は、ワイヤが伸張されたときに、脚と連結部とのより良好な係合が可能となることである。
【００１８】
いくつかの実施形態において、連結部は、１つの側に、オリフィスの２つの開口をつなぐ長手方向スロットを有し、このスロットは、オリフィスを通るワイヤの幅よりも小さい断面幅を有する。
【００１９】
このような実施形態は、利用者がワイヤに引張力を作用させることにより、ワイヤをオリフィスから引き出すことが可能になるという利点がある。
【００２０】
いくつかの実施形態において、折り畳み可能なロッドは、それぞれ連結部に関連付けられた２つの直線状の剛性ロッド部分を有し、２つのロッド部分は、同じオーダの大きさの長さを有し、関節継手によって結合されており、これにより、
−  関節継手が展開されているときには、２つのロッド部分を、該ロッド部分の長さに沿って整列させ、
−  関節継手が折り畳まれているときには、２つのロッド部分を並列にする。
【００２１】
このような実施形態の利点は、関節継手が展開されているときに、ワイヤを伸張状態に維持することが可能になることである。
【００２２】
第２の態様では、本発明の目的は、ベッドであって、これは、
−  フレームを支持する少なくとも３本の脚と、
−  脚、床、およびフレームによって画成される容積で、フレームに吊下される可撓性支持部であって、フレームの高さに上部開口を有する可撓性支持部と、
−  ２本の脚によって画成される容積に対向した支持部の側面の１つにおいて、該側面上の側面開口を開口させる開口手段と、を備える。
【００２３】
このような構成により、幼児が支持部に自由に出入りできるように、可撓性支持部を横方向と縦方向の両方に開くことが可能である。幼児を支持部内に留めておく必要があるときには、利用者は側面開口を自由に閉じることが可能である。
【００２４】
いくつかの実施形態において、支持部の下部は、各脚の下端によって形成される平面と同一平面上にある。
【００２５】
このような実施形態では、支持部を床に接触させて配置することが可能であり、これにより、幼児が側面開口を通り抜けることが容易となる。
【００２６】
いくつかの実施形態において、開口手段は、
−  側面に縦断する垂直スライドファスナと、
−  支持部の下部に沿って延在する少なくとも１つの水平スライドファスナと、を有する。
【００２７】
このような実施形態では、ベッドの組み立てを簡単にすることができるとともに、側面開口の開閉を利用者にとって直感的にすることが可能である。
【００２８】
いくつかの実施形態において、本発明に係るベッドは、フレームに取り付けられて、ベッドの天蓋のための支持体を形成する少なくとも１つのロッドを備える。
【００２９】
このような実施形態では、幼児を日光から保護するため、または幼児が眠りやすくするために、ベッドの天蓋を設置することが可能となる。
【００３０】
いくつかの実施形態において、本発明に係るベッドは、一端で束ねられて、折り畳み状態では平行なロッドの束をなす少なくとも２つのロッドを備える。
【００３１】
このような実施形態では、ベッドが持ち運ばれるべきときに、ロッドの持ち運びを容易にすることができる。このような利点は、そのベッドが、本発明に係る折り畳み式ベッドに相当する場合に、より顕著である。
【００３２】
いくつかの実施形態において、本発明に係るベッドは、少なくともフレームおよび可撓性支持部の上部開口を覆うように構成されたベッドの天蓋を備える。
【００３３】
このような実施形態では、側面が開いているときに、ベッドとして使用されない幼児用シェルタを形成することが可能となる。このようにして、利用者は、天蓋の配置および側面開口の開閉に応じて、このベッドで、いくつかの機能を実現することが可能である。このような用途の柔軟性によって、利用者が２つの異なる物品を入手する必要性が制限される。
【００３４】
第３の態様では、本発明の目的は、折り畳み式ベッドであって、これは、
−  ４本の脚と、
−  フレームであって、
−  ２つの「ロング」と呼ばれるロッドであって、各々は、２つの直線状の「第１」と呼ばれる剛性ロッド部分を有し、この２つの第１ロッド部分は、同じオーダの大きさの長さを有し、「第１」と呼ばれる関節継手によって結合されており、これにより、
−  第１関節継手が展開されているときには、２つの第１ロッド部分を、該ロッド部分の長さに沿って整列させ、
−  第１関節継手が折り畳まれているときには、２つの第１ロッド部分を並列にする、２つのロングロッドと、
−  ロングロッドよりも短尺の２つの「ショート」と呼ばれるロッドであって、各々は、２つの直線状の「第２」と呼ばれる剛性ロッド部分を有し、この２つの第２ロッド部分は、同じオーダの大きさの長さを有し、「第２」と呼ばれる関節継手によって結合されており、これにより、
−  第２関節継手が展開されているときには、２つの第２ロッド部分を、該ロッド部分の長さに沿って整列させ、
−  第２関節継手が折り畳まれているときには、２つの第２ロッド部分を並列にする、２つのショートロッドと、
−  ショートロッドとロングロッドとの間の「第３」と呼ばれる４つの関節継手であって、各々の第３関節継手は、
−  第３関節継手が折り畳まれているときには、ショートロッドとロングロッドを並列にし、
−  第３関節継手が展開されているときには、ショートロッドとロングロッドを略垂直に配置する、ように構成されている４つの第３関節継手と、
−  「第４」と呼ばれる４つの関節継手であって、各々は、第１ロッド部分または第２ロッド部分に取り付けられるとともに、脚に関連付けられており、各々の第４関節継手は、
−  第４関節継手が折り畳まれているときには、該脚を第１ロッド部分に略平行な位置に配置し、
−  第４関節継手が展開されているときには、該脚を第１ロッド部分に略垂直な位置に配置する、ように構成されている４つの第４関節継手と、を有するフレームと、
−  可撓性支持部であって、第１関節継手、第２関節継手、および第３関節継手が展開されているときに該支持部をフレームに取り付けるための、フレームへの取り付け具を有する可撓性支持部と、を備える。
【００３５】
このような構成により、折り畳んだときの折り畳み式ベッドの体積は削減され、折り畳んだときの折り畳み式ベッドの最大寸法は、脚の長さまたは第１ロッド部分の長さの大きいほうの長さに等しい。さらに、剛性の台板がないことによって、現在のシステムと比較して、折り畳み式ベッドの重量を削減することが可能となる。最後に、関節継手を使用していることで、ベッドの折り畳み／展開を円滑化かつ迅速化することが可能である。
【００３６】
いくつかの実施形態において、各々の脚は、第１ロッド部分の長さに略等しい長さを有する。
【００３７】
このような実施形態では、特に、脚の長さと第１ロッド部分の長さの両方に対応する、折り畳んだときの折り畳み式ベッドの最大寸法に関して、折り畳んだときの折り畳み式ベッドの体積を最適化することが可能である。
【００３８】
いくつかの実施形態において、支持部は、フレームに吊下される「メイン」と呼ばれる面であって、その面は、脚が展開されているときに少なくとも１本の脚の基部に取り付ける手段を有する。
【００３９】
このような実施形態の利点は、第一に、柵付きの折り畳み式ベッドを実現可能であることであり、第２に、支持部が補強されることである。
【００４０】
いくつかの実施形態において、支持部は、フレームから吊下されて、メイン面の上方に配置される追加の面を有する。
【００４１】
このような実施形態は、ベッドの中にいる幼児の取り扱いを容易とすることが可能な二重底を実現できるという利点がある。
【００４２】
いくつかの実施形態において、追加の面は、取り外しおよび巻き上げが可能であり、支持部は、追加の面を取り付けるための手段を有する。
【００４３】
このような実施形態の利点は、支持部の深さの区分化が可能になることである。
【００４４】
いくつかの実施形態において、押しボタンを含むロック手段を備え、これは、ボタンが押圧されると、第２関節継手の展開状態から折り畳み状態への移行を許可するように構成されている。
【００４５】
このような実施形態の利点は、一方で折り畳み機構をロック解除し、他方で押しボタンを押圧しつつ同時に第２関節継手を折り畳むために、力および連係が必要であることから、ロック装置のロック解除が幼児には難しくなっているということである。
【００４６】
いくつかの実施形態において、本発明に係る折り畳み式ベッドは、支持部の開閉手段を備える。
【００４７】
このような実施形態の利点は、折り畳み式ベッドの中にいる幼児が、支持部の外の利用者によって取り出される必要なく、外に出ることが可能であることである。
【００４８】
いくつかの実施形態において、少なくとも１つの第１関節継手および／または第２関節継手は楕円形状を有し、その関節継手は、該関節継手に関連付けられた第１ロッドまたは第２ロッドに機械的に結合されており、この関節継手は、該関節継手に関連付けられた他方のロッドの、この２つのロッドで形成される平面に垂直な軸の周りでの変位を可能とするスロットを有する。
【００４９】
このような実施形態では、フレームを補強するために、これらの特徴を実現する各々の関節継手を補強することが可能となる。
【００５０】
いくつかの実施形態において、本発明に係る折り畳み式ベッドは、メッシュを備え、これは、フレームのロッドが展開されているときに支持部をフレームに固定するための、フレームへの取り付け具を有する。
【００５１】
このような実施形態の利点は、メッシュを、例えば蚊帳として機能させることが可能になることである。
【００５２】
第４の態様では、本発明の目的は、折り畳み式ラウンジャであって、
−  ２つのロッドに装着された布と、
−  可撓性スラットの２つの支持具であって、各々は、スラットへの取り外し可能な少なくとも１つの取り付け具を有する、２つの支持具と、
−  剛性フレームを形成するように、スラットまたは支持具を別のロッドの一端に固定する４つの固定具と、を備える。
【００５３】
このような構成により、各スラットが支持具に装着されていないときには、布を支持具に巻き付けることが可能であり、これにより、ラウンジャの折り畳み状態での寸法を最小化することが可能となる。さらに、この折り畳み式ラウンジャは、現在のシステムよりも軽量である。
【００５４】
いくつかの実施形態において、各々の支持具は、スラットのための少なくとも１つの収容部を有し、各スラットは、収容部内の退避位置から展開位置に、収容部内でスライドする。
【００５５】
このような実施形態により、ラウンジャの折り畳み状態での寸法を最小化することが可能となる。
【００５６】
いくつかの実施形態において、スラット支持具および関連付けられた各スラットによって形成される各アセンブリの長さは、ロッド間の最大間隔長よりも大きい。
【００５７】
このような実施形態により、スラットで形成されるアーチ型フレームによって、面上でラウンジャ支持を形成することが可能となる。
【００５８】
いくつかの実施形態において、各々のスラット支持具は、ヒンジによって該支持具に関連付けられた折り畳み展開式の脚を有する。
【００５９】
このような実施形態により、ラウンジャを傾斜させることが可能となり、特に、布に対して配置された幼児のポジショニングを変化させることが可能となる。
【００６０】
いくつかの実施形態において、少なくとも１つのロッドは入れ子状に伸縮可能である。
【００６１】
このような実施形態により、折り畳み状態でのラウンジャを、さらにコンパクト化することが可能となる。
【００６２】
いくつかの実施形態において、布とロッドとの結合は解除可能である。
【００６３】
このような実施形態により、ロッドを扱うことなく、布の洗浄および取り扱いが可能となる。
【００６４】
いくつかの実施形態において、布は、ハーネスを有する。
【００６５】
このような実施形態により、例えば、幼児を定位置に維持することが可能となる。
【００６６】
いくつかの実施形態において、本発明に係るラウンジャは、布の上方に吊下される可動要素を支持するアーチを備える。
【００６７】
このような実施形態により、幼児は、吊下されたモービルで遊ぶことが可能となる。
【００６８】
いくつかの実施形態において、本発明に係るラウンジャは、布またはスラット支持具に固定することができる取り外し可能な保護オーニングを備え、これは、布の少なくとも一部を覆う。
【００６９】
このような実施形態により、布の上に配置された幼児を、風および日光から保護することが可能となる。
【００７０】
いくつかの実施形態において、本発明に係るラウンジャは、オーニングおよび布に装着されたメッシュ布を備え、これは、オーニングによって覆われた部分とは別の布部分を覆う。
【００７１】
このような実施形態により、布の上に配置された幼児を、風および日光からさらに保護することが可能となる。
【００７２】
いくつかの実施形態において、メッシュ布には、殺虫剤を染み込ませてある。
【００７３】
このような実施形態により、メッシュ布で覆われた容積内への虫の侵入から幼児を保護することが可能となる。
【００７４】
いくつかの実施形態において、本発明に係るラウンジャは、ラウンジャの近傍またはラウンジャにおける温度を検出するための手段と、検出された温度を表す情報を伝達する手段と、を備える。
【００７５】
このような実施形態により、ラウンジャの近傍またはラウンジャにおける温度の近くにいる利用者に、例えば、その温度が、ラウンジャに配置された幼児の健康状態に影響を及ぼす可能性があることを警告することが可能となる。
【００７６】
いくつかの実施形態において、本発明に係るラウンジャは、スラット支持具に取り付けられた画像取得装置と、取得した画像を伝送する手段と、を備える。
【００７７】
このような実施形態により、ラウンジャおよびラウンジャ周辺の遠隔監視が可能となる。
【００７８】
いくつかの実施形態において、本発明に係るラウンジャは、向き設定コマンドを受信したことに応じて制御される画像取得装置を向き設定する手段を備える。
【００７９】
このような実施形態により、利用者は、画像取得装置の向きを遠隔制御することが可能となる。
【００８０】
本発明の他の効果、目的、および具体的特徴は、添付の図面を参照して、本発明に係る折り畳み式ベッドおよび方法の少なくとも１つの実施形態についての以下の非限定的な説明から明らかになるであろう。
【図面の簡単な説明】
【００８１】
【図１】図１は、本発明に係る折り畳み式ベッドの第１の具体的な実施形態を概略的かつ透視的に示している。
【図２】図２は、本発明に係る折り畳み式ベッドの第２の具体的な実施形態を概略的かつ透視的に示している。
【図３】図３は、本発明に係るプロセスの具体的な段階の第１のフローチャートを概略的に示している。
【図４】図４は、本発明に係るプロセスの具体的な段階の第２のフローチャートを概略的に示している。
【図５】図５は、本発明に係る折り畳み式ベッドの第３の具体的な実施形態を概略的かつ部分的かつ透視的に示している。
【図６】図６は、本発明に係るベッドの具体的な実施形態を概略的かつ透視的に示している。
【図７】図７は、本発明に係るベッドの具体的な実施形態を概略的かつ透視的に示している。
【図８】図８は、本発明に係るベッドの具体的な実施形態を概略的かつ透視的に示している。
【図９】図９は、本発明に係るベッドの具体的な実施形態を概略的かつ透視的に示している。
【図１０】図１０は、本発明に係るラウンジャの第１の具体的な実施形態を概略的かつ透視的に示している。
【図１１】図１１は、本発明に係るラウンジャの第１の具体的な実施形態を概略的かつ透視的に示している。
【図１２】図１２は、本発明に係るラウンジャの第１の具体的な実施形態を概略的かつ透視的に示している。
【図１３】図１３は、本発明に係るラウンジャの第１の具体的な実施形態を折り畳み状態で概略的かつ透視的に示している。
【図１４】図１４は、本発明に係るラウンジャの第２の具体的な実施形態を概略的に断面で示している。
【図１５】図１５は、本発明に係るラウンジャの第２の具体的な実施形態を概略的に断面で示している。
【図１６】図１６は、本発明に係るラウンジャの第１の実施形態を概略的に側面で示している。
【発明を実施するための形態】
【００８２】
本説明は網羅的なものではない。
【００８３】
「長さ」という用語は、対象物が内接する直方体の最長の辺を指す。
【００８４】
２つの値が「同じオーダの大きさ」という用語は、２つの値の比が√１０〜１／√１０の範囲であることを意味する。
【００８５】
２つの要素を「整列させる」という用語は、２つの要素間の角度が３０度未満である位置決めを意味する。好ましくは、その角度は２０度未満である。好ましくは、その角度は１０度未満である。
【００８６】
図１は、縮尺通りではないが、本発明に係る折り畳み式ベッド（１００）の実施形態の断面図を示している。この折り畳み式ベッド（１００）は、
−  ４本の脚（１０５）と、
−  フレーム（１１０）であって、
−  ２つの「ロング」と呼ばれるロッド（１１５）であって、各々は、２つの直線状の「第１」と呼ばれる剛性ロッド部分を有し、この２つの第１ロッド部分は、同じオーダの大きさの長さを有し、「第１」と呼ばれる関節継手（１２５）によって結合されており、これにより、
−  第１関節継手（１２５）が展開されているときには、２つの第１ロッド部分（１２０）を、該ロッド部分（１２０）の長さに沿って整列させ、
−  第１関節継手（１２５）が折り畳まれているときには、２つの第１ロッド部分（１２０）を並列にする、２つのロングロッドと、
−  ロングロッド（１１５）よりも短尺の２つの「ショート」と呼ばれるロッド（１３０）であって、各々は、２つの直線状の「第２」と呼ばれる剛性ロッド部分（１３５）を有し、この２つの第２ロッド部分は、同じオーダの大きさの長さを有し、「第２」と呼ばれる関節継手（１４０）によって結合されており、これにより、
−  第２関節継手（１４０）が展開されているときには、２つの第２ロッド部分（１３５）を、該ロッド部分（１３５）の長さに沿って整列させ、
−  第２関節継手（１４０）が折り畳まれているときには、２つの第２ロッド部分（１３５）を並列にする、２つのショートロッドと、
−  ショートロッド（１３０）とロングロッド（１１５）との間の「第３」と呼ばれる４つの関節継手（１４５）であって、各々の第３関節継手（１４５）は、
−  第３関節継手（１４５）が折り畳まれているときには、ショートロッド（１３０）とロングロッド（１１５）を並列にし、
−  第３関節継手（１４５）が展開されているときには、ショートロッド（１３０）とロングロッド（１１５）を略垂直に配置する、ように構成されている４つの第３関節継手と、
−  「第４」と呼ばれる４つの関節継手（１５０）であって、各々は、第１ロッド部分（１２０）または第２ロッド部分（１３５）に取り付けられるとともに、脚（１０５）に関連付けられており、各々の第４関節継手（１５０）は、
−  第４関節継手（１５０）が折り畳まれているときには、該脚（１０５）を第１ロッド部分（１２０）に略平行な位置に配置し、
−  第４関節継手（１５０）が展開されているときには、該脚（１０５）を第１ロッド部分（１２０）に略垂直な位置に配置する、ように構成されている４つの第４関節継手と、を有するフレームと、
−  可撓性支持部（１５５）であって、第１関節継手（１２５）、第２関節継手（１４０）、および第３関節継手（１４５）が展開されているときに該支持部（１５５）をフレーム（１１０）に固定するための、フレーム（１１０）への取り付け具（１６０）を有する可撓性支持部と、を備える。
【００８７】
脚（１０５）は、例えば、直線状の直円柱形状の中空剛性管である。これらの脚（１０５）は、同様の寸法を有し、それぞれ両端を有する。各々の脚（１０５）は、第１端に、例えば床のような支持面に配置されるための面を有する。種々の実施形態において、この面は、接着剤コーティングで被覆されている。各々の脚（１０５）は、第２端に、第４関節継手（１５０）への取り付け具（図示せず）を有する。この取り付け具は、例えば、第４関節継手（１５０）と脚（１０５）に貫通するネジである。別の実施形態では、この取り付け具は、第４関節継手（１５０）と脚（１０５）の間に配置された接着剤である。
【００８８】
種々の実施形態において、各々の脚（１０５）は、床に配置されるための端付近に、アバットメント（図示せず）を有し、このアバットメントは、支持部（１５５）の取り付け具（１６５）に対して相補的なものであり、支持部（１５５）を伸張させるために使用される。このような実施形態では、取り付け具（１６５）は、脚（１０５）に巻き付けて結ばれる紐であって、これはアバットメントによってブロックされる。
【００８９】
種々の実施形態において、各々の脚（１０５）の長さは、第１ロッド部分（１２０）の長さに略等しい。
【００９０】
フレーム（１１０）は、可撓性支持部（１５５）のための支持具として機能する。このフレームは、交互に互いに連結された２つのロングロッド（１１５）と２つのショートロッド（１３０）で形成される。
【００９１】
２つのロングロッド（１１５）は、直方体の長辺を形成する。各々のロングロッド（１１５）は、第１関節継手（１２５）によって結合された２つの第１ロッド部分（１２０）を有する。各々の第１ロッド部分（１２０）は、同じオーダの大きさの寸法を有する。各々の第１ロッド部分（１２０）は、例えば、木材、プラスチック、または金属で構成された直線状の中空剛性管である。
【００９２】
各々の第１関節継手（１２５）は、例えば、ヒンジに類似した機構である。この機構は、シャフト（図示せず）に取り付けられた２つのアーム（図示せず）を有し、一方のアームを他方のアームに対して回転することが可能であり、シャフトはアームの回転軸として機能する。各アームは、第１ロッド部分（１２０）と機械的に結合されており、この結合はネジまたは接着剤によって実現されている。種々の実施形態において、各アームは、中空の第１ロッド部分（１２０）の中に取り付けられている。これらの第１関節継手（１２５）は、折り畳み位置と展開位置の間での約１８０°の変位に制限されている。
【００９３】
種々の実施形態において、少なくとも１つの第１関節継手（１２５）は、この関節継手（１２５）に関連付けられた２つの第１ロッド部分（１２０）に嵌合する「セントラル」と呼ばれるロッド部分（１２７）を有し、このセントラルロッド部分は、関節継手（１２９）でそれぞれの第１ロッド部分（１２０）に関連付けられている。セントラルロッド部分（１２７）は、例えば、直線状の中空剛性管であり、これは各端に、第１ロッド部分（１２０）との連結手段（図示せず）を有する。この連結手段は、例えば、第１ロッド部分（１２０）がセントラルロッド部分（１２７）と並置されるとき、すなわち、第１ロッド部分（１２０）に関連付けられた関節継手（１２９）が展開されたときに、第１ロッド部分（１２０）に嵌合するように構成された管である。この関節継手（１２９）は、例えば、ヒンジに類似した機構である。この機構は、シャフト（図示せず）に取り付けられた２つのアーム（図示せず）を有し、一方のアームを他方のアームに対して回転することが可能であり、シャフトはアームの回転軸として機能する。一方のアームはセントラルロッド部分（１２７）に機械的に固定されており、他方のアームは第１ロッド部分（１２０）に関連付けられている。
【００９４】
各々の第１関節継手（１２５）は、
−  第１関節継手（１２５）が展開されているときには、２つの第１ロッド部分（１２０）を、該ロッド部分（１２０）の長さに沿って整列させ、
−  第１関節継手（１２５）が折り畳まれているときには、２つの第１ロッド部分（１２０）を並列にする、ように構成されている。
【００９５】
第１関節継手（１２５）を展開状態に維持するために、スプリングピン（図示せず）を使用することができる。このピンは、一方の第１ロッド部分（１２０）内に収容されており、第１ロッド部分（１２０）の中空部分への開口同士が互いに対向して配置されたとき、または第１ロッド部分（１２０）とセントラルロッド部分（１２７）とが互いに対向して配置されたときには、ピンは他方の第１ロッド部分（１２０）内またはセントラルロッド部分（１２７）内に部分的に変位する。
【００９６】
第１関節継手（１２５）を展開状態に維持する別の方法は、利用者が第１関節継手（１２５）を展開状態から折り畳むときに、第１ロッド部分（１２０）を床に向かって変位させることであり、それらの第１ロッド部分（１２０）は、脚（１０５）によって定位置に維持される。
【００９７】
２つのショートロッド（１３０）の各々は、２つの直線状の「第２」と呼ばれる剛性ロッド部分（１３５）を有し、この２つのロッド部分は、同じオーダの大きさの長さを有し、「第２」と呼ばれる関節継手（１４０）によって結合されている。第２ロッド部分（１３５）は、第１ロッド部分（１２０）に類似しており、これらの第２ロッド部分（１３５）の長さは、第１ロッド部分（１２０）の長さよりも短い。第２関節継手（１４０）は、第１関節継手（１２５）に類似している。これらの第２関節継手（１４０）は、
−  第２関節継手（１４０）が展開されているときには、２つの第２ロッド部分（１３５）を、該ロッド部分（１３５）の長さに沿って整列させ、
−  第２関節継手（１４０）が折り畳まれているときには、２つの第２ロッド部分（１３５）を並列にする、ように構成されている。
【００９８】
種々の実施形態において、第２関節継手（１４０）は、フレーム（１１０）の中心に向かって折り畳まれて、第２関節継手（１４０）が折り畳まれているときには、第２ロッド部分（１３５）は、第１ロッド部分（１２０）に平行である。
【００９９】
種々の実施形態において、折り畳み式ベッド（１００）は、第２関節継手（１４０）の位置決めのためのロック装置（１８０）を備える。このロック装置（１８０）は、押しボタン（１８０）を有し、ボタン（１８０）が押圧されると、第２関節継手（１４０）の展開状態から折り畳み状態への移行を許可するように構成されている。この押しボタン（１８０）は、例えば、ボタン（１８０）が押圧されていないときには、第２ロッド部分（１３５）の回転を阻止するストッパとして機能する。
【０１００】
種々の実施形態において、ロック装置（１８０）は、反対方向の押圧によって操作される２つの押しボタンを有し、各々の押しボタンは、第２関節継手（１４０）上に配置されている。各々の押しボタンが操作されると、第２ロッド（１３５）の回転機構がロック解除されることによって、第２関節継手（１４０）の展開状態から折り畳み状態への移行が可能となる。これらの２つの押しボタンは、例えば、大人の利用者の親指と人差し指で操作される。
【０１０１】
種々の実施形態において、ロック装置（１８０）は、ショートロッド（１３０）の長手軸の周りに第２関節継手（１４０）を回転させる回転手段（１８５）を有する。この回転手段（１８５）は、例えば、ショートロッド（１３０）を構成する第２ロッド部分（１３５）が管状である特性によって実現され、これらの第２ロッド部分（１３５）は、第３関節継手（１４５）の収容部（図示せず）内で回転可能である。第２関節継手（１４０）が、折り畳み式ベッド（１００）が配置された面から外向きの垂直方向に引く必要があるような位置にあるときに、第２関節継手（１４０）はロックされているとみなされる。
【０１０２】
折り畳み式ベッド（１００）は、ロングロッド（１１５）とショートロッド（１３０）を連結するために、「第３」と呼ばれる関節継手（１４５）を備え、各々の第３関節継手（１４５）は、
−  第３関節継手（１４５）が折り畳まれているときには、ショートロッド（１３０）とロングロッド（１１５）を並列にし、
−  第３関節継手（１４５）が展開されているときには、ショートロッド（１３０）とロングロッド（１１５）を略垂直に配置する、ように構成されている。
【０１０３】
各々の第３関節継手（１４５）は、第１関節継手（１２５）に類似しており、これらの第３関節継手（１４５）は、展開位置と折り畳み位置の間での約９０°の変位に制限されている。第３関節継手（１４５）が折り畳まれているときには、関連付けられた第１ロッド部分（１２０）は、第１ロッド（１１５）に平行である。
【０１０４】
折り畳み式ベッド（１００）は、脚（１０５）とそれ以外のフレーム（１１０）の部分とを連結するために、「第４」と呼ばれる４つの関節継手（１５０）を備え、各々は、第１ロッド部分（１２０）または第２ロッド部分（１３５）に取り付けられるとともに、脚（１０５）に関連付けられており、各々の第４関節継手（１５０）は、
−  第４関節継手（１５０）が折り畳まれているときには、該脚（１０５）を第１ロッド部分（１２０）に略平行な位置に配置し、
−  第４関節継手（１５０）が展開されているときには、該脚（１０５）を第１ロッド部分（１２０）に略垂直な位置に配置する、ように構成されている。
【０１０５】
各々の第４関節継手（１５０）は、フレーム（１１０）と脚（１０５）とに取り付けられたヒンジに類似した機構であり、これらの第４関節継手（１５０）は、展開位置と折り畳み位置の間での約９０°の変位に制限されている。第４関節継手（１５０）が折り畳まれているときには、この第４関節継手（１５０）に関連付けられた脚（１０５）は、第１ロッド（１１５）と並置される。これらの第４関節継手（１５０）は、展開された脚（１０５）が床に対して非ゼロの入射角となるように配置することができる。
【０１０６】
種々の実施形態において、少なくとも２つの第４関節継手は、図５を参照して説明するような連結部で置き換えられる。このような実施形態では、第２関節継手が折り畳まれると、もはや脚は連結部に当接して保持されなくなる。
【０１０７】
折り畳み式ベッド（１００）は、さらに可撓性支持部（１５５）を備え、これは、第１関節継手（１２５）、第２関節継手（１４０）、および第３関節継手（１４５）が展開されているときに該支持部（１５５）をフレーム（１１０）に固定するための、フレーム（１１０）への取り付け具（１６０）を有する。可撓性支持部（１５５）は、例えば、フレーム（１１０）に吊下される「メイン」と呼ばれる面であって、その面は、脚（１０５）が展開されているときに少なくとも１本の脚（１０５）の基部に取り付ける取り付け具（１６５）を有する。その面は、例えば、合成材料で構成される。
【０１０８】
支持部（１５５）は、取り外し可能なマットレスを収容するように構成されている。取り外し可能なマットレスは、ストラップまたはボタンホールによって取り付けられる。ストラップによる取り付けの場合には、ストラップは、この支持部（１５５）に対してマットレスを保持するように、支持部（１５５）の一部を取り囲む。
【０１０９】
取り付け具（１６０）は、例えば、フレーム（１１０）の一部を取り囲むとともに面を支持する一揃いのストラップである。これらのストラップは、例えば、「パイルアンドフック」タイプの機構またはスライドファスナによって装着される。
【０１１０】
取り付け具（１６５）は、例えば、脚（１０５）に巻き付けて結ぶように構成された紐である。
【０１１１】
種々の実施形態において、支持部（１５５）は、フレーム（１１０）に吊下されて、メイン面（１５５）の上方に配置される追加の面（１７０）を有する。この追加の面（１７０）は、取り外しおよび巻き上げが可能であり、支持部（１５５）は、追加の面（１７０）を取り付けるための取り付け具（１７５）を有する。この追加の面（１７０）は、例えば、スラットによって伸張される布で形成される。取り付け具（１７５）は、例えば、ストラップに沿って配置された一揃いのアバットメントであって、これらのアバットメントによって追加の面（１７０）を保持する。
【０１１２】
支持部（１５５）は、さらに、メイン面とフレーム（１１０）との間に可撓性サイド柵（図示せず）を備える。これらの柵によって、支持部（１５５）の中の幼児が支持部（１５５）の外に出ることを防止する。支持部（１５５）に組み込まれたこれらの柵は、支持部（１５５）の開閉装置（１９０）を有する。この開閉装置（１９０）は、例えば、床に垂直に柵を縦断するスライドファスナである。
【０１１３】
折り畳み式ベッド（１００）は、さらに上部メッシュ（１９５）を備え、これは、フレーム（１１０）のロッド（１１５）および（１３０）が展開されているときに、支持部（１５５）をフレーム（１１０）に固定するための、フレーム（１１０）への取り付け手段（１９７）を有する。このメッシュ（１９５）は、例えば、蚊帳タイプの合成繊維メッシュであり、このメッシュ（１９５）は、例えば、一式のフックまたはパイルアンドフックファスナのような取り付け具（１９７）によって、フレーム（１１０）に取り付けられる。このメッシュ（１９５）は、支持部（１５５）の上部開口に配置される。種々の実施形態において、支持部（１５５）は、７ミリメートル未満の寸法の側面メッシュをさらに備え、利用者は、支持部（１５５）の上部開口を通して見なくても、支持部（１５５）の中を見ることができる。
【０１１４】
折り畳み式ベッド（１００）のフレーム（１１０）は、さらに、ランプ用の収容部（１１２）を有する。別の実施形態では、脚（１０５）は、ランプ用の収容部（１１２）を有する。
【０１１５】
折り畳み式ベッド（１００）のフレーム（１１０）は、さらに、画像および／または音声を取得する手段のための収容部（１１４）を有する。画像および／または音声を取得するための手段は、例えば、マイクロフォンおよび／またはカメラである。このマイクロフォンまたはカメラを、例えば、遠隔の利用者と通信する携帯端末に接続することができる。別の実施形態では、収容部（１１４）は、脚（１０５）に配置される。他の実施形態では、収容部（１１５）は、画像および／または音声を取得する手段のための支持体に相当する。
【０１１６】
種々の実施形態において、折り畳み式ベッド（１００）は、風、虫、または紫外線からの保護用として、フレームに取り外し可能に取り付けられた保護布を備える。
【０１１７】
種々の実施形態において、折り畳み式ベッド（１００）は、温度関連情報のディスプレイに関連付けられて、フレーム（１１０）に取り付けられた、例えば温度計などの温度センサを備える。例えば、検出された温度が所定の高温よりも高い場合には、ディスプレイは赤色を表示する。温度が所定の低温よりも低い場合には、ディスプレイは青色を表示する。温度が所定の低温と所定の高温の間である場合には、ディスプレイは緑色を表示する。
【０１１８】
図２は、本発明に係る折り畳み式ベッド（２０）の具体的な実施形態を示している。この折り畳み式ベッド（２０）は、
−  ４本の脚（２０５）と、
−  フレーム（２１０）であって、
−  ２つの「ロング」と呼ばれるロッド（２１５）であって、各々は、２つの直線状の「第１」と呼ばれる剛性ロッド部分を有し、この２つの第１ロッド部分は、同じオーダの大きさの長さを有し、「第１」と呼ばれる関節継手（２２５）によって結合されており、これにより、
−  第１関節継手が展開されているときには、２つの第１ロッド部分を、該ロッド部分の長さに沿って整列させ、
−  第１関節継手が折り畳まれているときには、２つの第１ロッド部分を並列にする、２つのロングロッドと、
−  ２つの「ショート」と呼ばれるロッド（２３０）であって、各々は、２つの「第２」と呼ばれるロッド部分（２３５）を有し、この２つの第２ロッド部分は、同じオーダの大きさの長さを有し、「第２」と呼ばれる関節継手（２４０）によって結合されており、これにより、
−  第２関節継手が展開されているときには、２つの第２ロッド部分を、該ロッド部分の長さに沿って整列させ、
−  第２関節継手が折り畳まれているときには、２つの第２ロッド部分を並列にする、２つのショートロッドと、
−  各ショートロッドと各ロングロッドとの間の「第３」と呼ばれる関節継手（２４５）であって、各々の第３関節継手は、
−  第３関節継手が折り畳まれているときには、ショートロッドとロングロッドを並列にし、
−  第３関節継手が展開されているときには、ショートロッドとロングロッドを略垂直に配置する、ように構成されている第３関節継手と、
−  「第４」と呼ばれる４つの関節継手（２４５）であって、各々は、第１ロッド部分または第２ロッド部分に取り付けられるとともに、脚に関連付けられており、各々の第４関節継手は、
−  第４関節継手が折り畳まれているときには、該脚を第１ロッド部分に略平行な位置に配置し、
−  第４関節継手が展開されているときには、該脚を第１ロッド部分に略垂直な位置に配置する、ように構成されている４つの第４関節継手と、を有するフレームと、
−  可撓性支持部（２５０）であって、第１関節継手、第２関節継手、および第３関節継手が展開されているときに該支持部をフレーム（２１０）に固定するための、フレーム（２１０）への取り付け手段（２５５）を有する可撓性支持部と、を備える。
【０１１９】
このような実施形態では、少なくとも１つの第１関節継手（２２５）および／または第２関節継手（２４０）は楕円形状を有し、その関節継手（２２５）および／または（２４０）は、該関節継手（２２５）および／または（２４０）に関連付けられた第１ロッド（２１５）または第２ロッド（２３５）に機械的に結合されており、この関節継手（２２５）および／または（２４０）は、該関節継手（２２５）および／または（２４０）に関連付けられた他方のロッド（２１５）および／または（２３５）の、この２つのロッド（２１５）または（２３５）で形成される平面に垂直な軸の周りでの変位を可能とするスロット（２６０）を有する。
【０１２０】
図３は、本発明に係るプロセス（３０）の具体的な実施形態を示している。本発明に係る折り畳み式ベッドの展開プロセス（３０）は、
−  第１関節継手を展開する段階（３０５）と、
−  第３関節継手を展開する段階（３１０）と、
−  第２関節継手を展開する段階（３１５）と、
−  第４関節継手を展開する段階（３２０）と、
−  このように展開されたフレームに可撓性支持部を取り付ける段階（３２５）と、を含む。
【０１２１】
第１関節継手を展開する段階（３０５）は、例えば、利用者が第１関節継手をそれぞれ押圧することによって実施される。この展開段階（３０５）の終了時には、ロングロッドを構成する第１ロッド部分は整列されて、フレームの長辺を形成する。
【０１２２】
第３関節継手を展開する段階（３１０）は、例えば、利用者が第３関節継手をそれぞれ押圧することによって実施される。
【０１２３】
この展開段階（３１０）は、第２関節継手の展開段階（３１５）と並行して実施される。展開段階（３１５）は、例えば、利用者が第２関節継手をそれぞれ押圧することによって実施される。
【０１２４】
これらの展開段階（３１０）および（３１５）の終了時には、ショートロッドを構成する第２ロッド部分は整列されて、フレームの短辺を形成する。
【０１２５】
第４関節継手を展開する段階（３２０）は、例えば、利用者が第４関節継手をそれぞれ押圧することによって実施される。この展開段階（３２０）の終了時には、折り畳み式ベッドの脚は展開されて、フレームを支持することが可能となる。
【０１２６】
取り付け段階（３２５）は、例えば、折り畳み式ベッドの可撓性支持部を支持するストラップを使用することによって実施され、これらのストラップは、パイルアンドフックファスナによって固定される。
【０１２７】
図４は、本発明に係るプロセス（４０）の具体的な実施形態を示している。本発明に係る折り畳み式ベッドの折り畳みプロセス（４０）は、
−  展開されたフレーム上の可撓性支持部を取り外す段階（４０５）と、
−  第４関節継手を折り畳む段階（４１０）と、
−  第２関節継手を折り畳む段階（４１５）と、
−  第３関節継手を折り畳む段階（４２０）と、
−  第１関節継手を折り畳む段階（４２５）と、を含む。
【０１２８】
取り外し段階（４０５）は、例えば、利用者が支持部の取り付け具を取り外すことによって実施され、この取り外しは、取り付け具の特性によって異なる。
【０１２９】
折り畳み段階（４１０）、（４１５）、（４２０）、および（４２５）は、例えば、利用者が関節継手を折り畳むように関節継手を押圧することによって実施される。
【０１３０】
図５は、本発明に係る折り畳み式ベッド（５０）の具体的な実施形態を示している。この折り畳み式ベッド（５０）は、
−  少なくとも１つの折り畳み可能なロッド（５１０）を有し、少なくとも１つの軸（５５５）に沿って折り畳み可能なフレーム（５０５）と、
−  少なくとも２本の脚（５１５）であって、各々の脚は、連結部（５２０）によってフレーム（５０５）に取り付けられており、連結部（５２０）は、その脚（５１５）を展開位置と折り畳み位置に配置することを可能にしている、少なくとも２本の脚と、を備え、
−  折り畳み可能なロッド（５１０）は、折り畳み軸（５５５）の両側でそれぞれの連結部（５２０）に関連付けられており、
この構成において、
−  各々の連結部（５２０）は、その連結部（５２０）に貫通するオリフィス（５２５）を有し、
−  各々の脚（５１５）は、２本の脚（５１５）を接続するとともにフレーム（５０５）の折り畳み軸（５５５）を横切るフレキシブルワイヤ（５３５）への取り付け具（５３０）を有し、ロッド（５１０）が展開されているときには、ワイヤ（５３５）は伸張されて、そのワイヤ（５３５）の張力により、脚（５１５）を展開位置に配置し、
−  少なくとも１つのオリフィス（５２５）は、その連結部（５２０）に関連付けられた脚（５１５）の一端の形状に相補的な機械的形状を有し、連結部（５２０）は、該一端に嵌合するように構成されており、
−  オリフィス（５２５）は凹形状を有し、連結部（５２０）の開口（５２５）の１つは、凹形状の最深点に概ね位置付けられており、他の開口は、凹形状の基点で形成されており、
−  オリフィス（５２５）は、概ね円錐形状を有し、円錐の底は、その連結部（５２０）に関連付けられた脚（５１５）の端の方向に向いており、オリフィスの開口の１つは、円錐の頂点に配置されており、
−  連結部（５２０）は、１つの側に、オリフィス（５２５）の２つの開口をつなぐ長手方向スロット（５４０）を有し、このスロットは、オリフィスを通るワイヤ（５３５）の幅よりも小さい断面幅を有し、
−  折り畳み可能なロッド（５１０）は、それぞれ連結部（５２０）に関連付けられた２つの直線状の剛性ロッド部分（５４５）を有し、２つのロッド部分は、同じオーダの大きさの長さを有し、関節継手（５５０）によって結合されており、これにより、
−  関節継手（５５０）が展開されているときには、２つのロッド部分（５４５）を、該ロッド部分（５４５）の長さに沿って整列させ、
−  関節継手（５５０）が折り畳まれているときには、２つのロッド部分（５４５）を並列にする。
【０１３１】
フレーム（５０５）は、例えば、図１および２を参照して説明したフレームと類似したフレームである。フレームは、平行四辺形を形成する４つの折り畳み可能なロッド（５１０）を有し、この平行四辺形の隅角部のそれぞれに１本の脚（５１５）が取り付けられる。このフレームは、２つの平行なロッド（５１０）を折り畳むことにより一軸（５５５）に沿って折り畳むことができ、または他の２つの平行なロッド（図示せず）を折り畳む前もしくは後にこの２つの平行なロッド（５１０）を折り畳むことにより二軸に沿って順に折り畳むことができる。
【０１３２】
図１および２において機械的継手で脚をロッドに連結するのとは異なり、図５では、フレーム（５０５）への２本の脚（５１５）の取り付けを、連結部（５２０）、脚（５１５）の取り付け具（５３０）、およびワイヤ（５３５）からなるアセンブリによって実現している。いくつかの実施形態において、脚をフレームに取り付けるために、図１、２、および５の取り付け具の組み合わせが用いられる。
【０１３３】
脚（５１５）は、図１および２を参照して説明した脚に類似したものであり、さらに追加して、ワイヤ（５３５）への取り付け具（５３０）をそれぞれ有している。この取り付け具は、例えば、脚（５１５）の凹部を取り囲むアバットメントによって形成されるアセンブリであり、このアバットメントは、ワイヤに機械的に結合された可動部品または不動部品が凹部から抜け出ることを防止する。
【０１３４】
各々の脚（５１５）は、２本の脚（５１５）を接続するとともにフレーム（５０５）の折り畳み軸（５５５）を横切るフレキシブルワイヤ（５３５）への取り付け具（５３０）を有し、ロッド（５１０）が展開されているときには、ワイヤ（５３５）は伸張されて、そのワイヤ（５３５）の張力により、脚（５１５）を展開位置に配置する。
【０１３５】
少なくとも２本の脚（５１５）が、連結部（５２０）を介してフレーム（５０５）に取り付けられる。この連結部（５２０）は、例えば、少なくとも１つの折り畳み可能なロッド（５１０）を含む２つのロッドと結合された機械部品である。この機械部品は、該部品に結合された２つのロッドによって形成される平面に略垂直な軸に沿って該部品に貫通するオリフィス（５２５）を有する。
【０１３６】
少なくとも１つのオリフィス（５２５）は、その連結部（５２０）に関連付けられた脚（５１５）の一端の形状に相補的な機械的形状を有し、連結部（５２０）は、該一端に嵌合するように構成されている。その形状は、例えば、凹形状であり、連結部（５２０）の開口（５２５）の１つは、凹形状の最深点に概ね位置付けられており、他の開口は、凹形状の基点で形成されている。種々の実施形態において、オリフィス（５２５）は、概ね円錐形状を有し、円錐の底は、その連結部（５２０）に関連付けられた脚（５１５）の端の方向に向いており、オリフィスの開口の１つは、円錐の頂点に配置されている。
【０１３７】
連結部（５２０）は、１つの側に、オリフィス（５２５）の２つの開口をつなぐ長手方向スロット（５４０）を有し、このスロットは、オリフィスを通るワイヤ（５３５）の幅よりも小さい断面幅を有する。このスロットによって、利用者は、ワイヤ（５３５）を位置決めすること、またはワイヤ（５３５）を連結部（５２０）から取り外すこと、が可能となる。
【０１３８】
ロッド（５１０）が展開されているときには、ワイヤ（５３５）は伸張されて、そのワイヤ（５３５）の張力により、連結部（５２０）に対して脚（５１５）を引き寄せる。脚（５１５）が連結部（５２０）に結合しているときには、脚（５１５）は展開位置にあると考えられる。脚（５１５）が連結部（５２０）に結合していないときには、脚（５１５）は折り畳み位置にある。
【０１３９】
折り畳み可能なロッド（５１０）は、折り畳み軸（５５５）の両側で２つの連結部（５２０）に関連付けられている。折り畳み可能なロッド（５１０）は、それぞれ連結部（５２０）に関連付けられた２つの直線状の剛性ロッド部分（５４５）を有し、この２つのロッド部分は、同じオーダの大きさの長さを有し、関節継手（５５０）によって結合されており、これにより、
−  関節継手（５５０）が展開されているときには、２つのロッド部分（５４５）を、該ロッド部分（５４５）の長さに沿って整列させ、
−  関節継手（５５０）が折り畳まれているときには、２つのロッド部分（５４５）を並列にする。
【０１４０】
関節継手（５５０）は、例えば、ヒンジに類似した機構を有する。
【０１４１】
従って、図５の説明を読解すれば分かるように、利用者が関節継手（５５０）を展開させると、ワイヤ（５３５）は連結部（５２０）の間で伸張されて、これは、それらの連結部（５２０）を脚（５１５）に固定するという効果を有する。逆に、利用者が関節継手（５５０）を折り畳むと、ワイヤ（５３５）は弛緩して、脚（５１５）は、ワイヤ（５３５）の長さの範囲内で可動となる。
【０１４２】
図６は、本発明に係るベッド（６０）の実施形態を概略的かつ透視的に示している。このベッド（６０）は、
−  フレーム（６３５）を支持する少なくとも３本の脚（６３０）と、
−  脚（６３０）、床、およびフレーム（６３５）によって画成される容積で、フレーム（６３５）に吊下される可撓性支持部（６４０）であって、フレーム（６３５）の高さに上部開口を有する可撓性支持部と、
−  ２本の脚（６３０）によって画成される容積に対向した支持部の側面の１つにおいて、該側面上の側面開口を開口させる手段（６２５）および（６４５）と、を備える。
【０１４３】
脚（６３０）、フレーム（６３５）、および可撓性支持部（６４０）によって形成されるアセンブリは、例えば、図１を参照して説明したベッド（１００）の脚（１０５）およびフレーム（１１０）に類似したものである。
【０１４４】
支持部（６４０）は、図１を参照して説明したベッド（１００）の支持部（１５５）に類似したものである。この支持部（６４０）は、種々の実施形態において、下部の面上にマットレスを収容するように構成される。
【０１４５】
図８は、支持部（６４０）の側面開口を開口させる開口手段（６２５）および（６４５）を示しており、これは、例えば一揃いのスライドファスナによって形成される。
−  側面に縦断する垂直スライドファスナ（６２５）と、
−  支持部（６４０）の下部に沿って延在する少なくとも１つの水平スライドファスナ（６４５）。
【０１４６】
スライドファスナ（６２５）は、例えば、側面の垂直対称軸を形成している。好ましくは、スライドファスナ（６２５）が最大限に開いているときに、側面開口は、支持部（６４０）の高さに略等しい高さを有する。
【０１４７】
各々の水平スライドファスナ（６４５）は、一方で、支持部（６４０）の下部または下部のマットレスに、他方で、側面を形成するメッシュに、取り付けられている。好ましくは、ファスナ（６２５）および（６４５）がそれぞれ閉じているときに、スライドファスナ（６２５）と（６４５）は接触している。
【０１４８】
ベッド（６０）がファスナ（６４５）を１つのみ備える場合、側面開口は直角三角形をなし、その直角は、ファスナ（６２５）と（６４５）の動作軸の交点に位置する。
【０１４９】
ベッド（６０）が２つのファスナ（６４５）を備える場合、側面開口は、三角形をなし、ファスナ（６２５）の動作軸は、ファスナ（６４５）の動作軸によって共線的に形成される辺に対する三角形の高さに相当する。
【０１５０】
種々の実施形態において、少なくとも１つのファスナ（６４５）の軸は、支持部（６４０）の下部の全周囲にわたっており、ファスナ（６４５）がこの軌道をたどると、下部は取り外される。
【０１５１】
いくつかの実施形態において、図８に示すように、支持部（６４０）の下部は、各々の脚（６３０）の下端によって形成される平面と同一平面上にある。
【０１５２】
いくつかの実施形態において、図７に示すように、少なくとも１つのロッド（６０５）がフレーム（６３５）に取り付けられて、ベッドの天蓋（６２０）のための支持体を形成する。
【０１５３】
各々のロッド（６０５）は、例えば、管形状を有する。
【０１５４】
好ましい実施形態では、各々のロッド（６０５）は、一端に、フレーム（６３５）への取り付け手段（６１０）を有する。この取り付け手段（６１０）は、例えば、フレーム（６３５）の部材の凹部に取り付けられるように構成された突起である。
【０１５５】
ロッド（６０５）が取り付けられるベッドが、図１を参照して説明したようなベッド（１００）である場合には、この取り付けは、例えば、第３関節継手（１４５）の位置で行われる。
【０１５６】
いくつかの実施形態において、図７に示すように、ベッド（６０）は、一端で束ねられて、折り畳み状態では平行なロッドの束をなす少なくとも２つのロッド（６０５）を備える。
【０１５７】
その結束端は、管の取り付け手段（６１０）として使用されていない他端である。
【０１５８】
いくつかの実施形態において、図８に示すように、ベッド（６０）は、少なくともフレーム（６３５）および可撓性支持部（６４０）の上部開口を覆うように構成されたベッドの天蓋（６２０）を備える。
【０１５９】
図９は、本発明に係るベッド（７０）の具体的な実施形態を示している。このベッド（７０）は、ベッド（７０）のフレームによって支持されるおむつ交換台（７０５）を備える。おむつ交換台（７０５）は、例えば、合成繊維または天然繊維で構成された面である。好ましくは、おむつ交換台（７０５）は、フレームに取り付けられた状態にあるときに、幼児を配置して保持するためのキャビティを有する。おむつ交換台（７０５）は、取り外し可能な取り付け具によって、ベッド（７０）のフレームに取り外し可能に取り付けられるように構成されている。ベッドの上のおむつ交換台（７０５）の取り付け具は、一式の固定ストラップ、またはフレームにスナップ留めされるプラスチック連結部品とすることができる。
【０１６０】
おむつ交換台（７０５）は、幼児の親が身をかがめる必要なく、腰を痛めるリスクなく、適切な高さでの幼児のおむつ交換を可能とする。
【０１６１】
また、おむつ交換台（７０５）は、幼児用のハンモックまたは汎用支持台としても機能し得る。このようにして、台の高さで、快適に、幼児を眠らせたり、あやしたりすることが可能である。
【０１６２】
なお、「スラット」という用語は、ストリップ形状に限定されることなく、ボリュームの幅および高さの少なくとも５倍の大きさの長さを有する任意のボリュームを意味し得るということに留意すべきである。そのボリュームは、例えば、円形、「Ｕ」字形、方形の形状をとり得る断面を軸に沿って有する。
【０１６３】
また、図面は縮尺通りではないということにも留意すべきである。
【０１６４】
図１０は、縮尺通りではないが、本発明に係るラウンジャ（８０）の一実施形態の断面図を示している。この折り畳み式ラウンジャ（８０）は、
−  ２つのロッド（８１０）に装着された布（８０５）と、
−  可撓性スラットの２つの支持具（８１５）であって、各々は、スラット（８２０）への取り外し可能な少なくとも１つの取り付け手段（８３５）を有する、２つの支持具と、
−  剛性フレームを形成するように、スラット（８２０）または支持具（８１５）を別のロッド（８１０）の一端に固定する４つの手段（８２５）と、を備える。
【０１６５】
布（８０５）は、例えば、天然材料または合成材料で構成された矩形のメッシュ布であり、その対向する両側でロッド（８１０）にそれぞれ装着されている。その結合部は、例えば、「パイルアンドフックファスナ」という名称で当業者に知られているセルフグリップストリップを布（８０５）の一方の面に付加し、それが、布（８０５）の同じ面に配置された相補ストリップに引っ掛かるようにして形成される。別の実施形態では、布（８０５）は、各々のロッド（８１０）の周りに縫い付けられる。これらの実施形態では、布（８０５）のロッド（８１０）への結合部（８４０）は取り外し可能である。
【０１６６】
好ましくは、ロッド（８１０）を引き離したときに、布（８０５）は凹形状を呈する。この形状は、例えば、ロッド（８１０）を引き離したときにのみ、布（８０５）の特定の部分が伸びるように、布（８０５）に縫い目を配置することによって得られる。
【０１６７】
種々の実施形態において、結合部は、布（８０５）をロッド（８１０）の周りに装着することを可能とする一式のアイレットとフック（図示せず）によって形成される。
【０１６８】
各々のロッド（８１０）は、例えば、プラスチック、金属、または木材で構成された棒材である。各々のロッド（８１０）は、スラット（８２０）またはスラット（８２０）の支持具（８１５）を固定するための２つの手段（８２５）を有する。
【０１６９】
種々の実施形態において、少なくとも１つのロッド（８１０）は入れ子状に伸縮可能であり、これにより、ラウンジャ（８０）が折り畳み状態にあるときの長さを短縮することが可能である。
【０１７０】
固定具（８２５）は、例えば、ロッド（８１０）の各端に装着された剛性エンドキャップであり、これらのエンドキャップは、支持具（８１５）またはスラット（８２０）の端から突出する機械部品を受容するためのキャビティを有する。
【０１７１】
別の実施形態では、少なくとも１つの固定具（８２５）は磁石であり、これは、スラット（８２０）または支持具（８１５）に装着された金属片もしくは別の磁石に関連付けられている。
【０１７２】
別の実施形態では、各々の固定具（８２５）は、少なくとも１つのスラット（８２０）とロッド（８１０）との間で直接的な固定を実現するように、ロッド（８１０）に形成されたノッチである。このノッチを、ロッド（８１０）に固定されたスラット（８２０）によって伸張される布（８０５）のストラップで取り囲むことができる。
【０１７３】
スラット（８２０）の支持具（８１５）の各々は、例えば、スラット（８２０）のための少なくとも１つの収容部を有するケーシングであり、各々のスラットは、収容部内の退避位置から展開位置に、収容部内でスライドする。このケーシングは、例えば、概ね平行六面体形状を有する。この支持具（８１５）は、例えば、成形プラスチックで構成された支持具（８１５）の２つの半片をネジ止めまたは接着で固定することによって形成される。
【０１７４】
種々の実施形態において、各々の支持具（８１５）は、一端に、固定具（８２５）のキャビティに嵌合する機械的突起を有する。
【０１７５】
好ましい実施形態では、各々の支持具（８１５）は、各スラット（８２０）に対して２つのスロットを有し、それぞれのスラット（８２０）の退避位置から展開位置への変位方向は互いに反対方向である。
【０１７６】
各々のスラット（８２０）は、例えば、金属またはプラスチックで構成された折り畳み可能なブレードである。折り畳み可能なブレードの各々は、利用者の操作によって押し込まれたり引き出されたりするように収容部内でスライドする。退避位置では、利用者が引っ張るために、ブレードの一部が収容部から突き出している。種々の実施形態において、少なくとも１つのスラット（８２０）は、ロッド（８１０）または固定具（８２５）の相補的な機械部品への固定を可能とする機械部品を有する。
【０１７７】
種々の実施形態において、少なくとも１つのスラット（８２０）は、退避位置ではバネを圧縮して、可動ストッパによって保持されている。そのスラット（８２０）に関連付けられた支持具（８１５）に配置されたボタンを利用者が押圧すると、ストッパが動いて、バネがスラット（８２０）を押し出し、これにより、その一部が支持具（８１５）から突き出して、利用者は、スラット（８２０）を把持して収容部から引き出すことが可能となる。
【０１７８】
スラット（８２０）が展開位置にあるときには、機械的ストッパによって、利用者が手動でストッパを変位させることなくスラット（８２０）が収容部内に退避することを防いでいる。
【０１７９】
スラット（８２０）および／または支持具（８１５）の各端を固定することによって、ロッド（８１０）を離間させているときの布（８０５）を補強することが可能である。
【０１８０】
いくつかの実施形態において、図１０に示すように、スラット（８２０）の支持具（８１５）および関連付けられた各スラット（８２０）によって形成される各アセンブリの長さは、ロッド（８１０）間の最大間隔長よりも大きく、従って、各スラット（８２０）を固定することで、該スラット（８２０）は撓んで、アーチを形成する。
【０１８１】
このとき、このアーチを利用して、例えば、床などの面の上でラウンジャ（８０）を支持する。
【０１８２】
いくつかの実施形態において、図１０に示すように、スラット（８２０）の支持具（８１５）の各々は、ヒンジによって該支持具（８１５）に関連付けられた折り畳み展開式の脚（８３０）を有する。
【０１８３】
この脚（８３０）は、例えば、プラスチックまたは金属材料の剛性ロッドである。この脚（８３０）は、折り畳み状態では支持具（８１５）に寄せて配置される。ヒンジは、例えば、該ヒンジの軸を中心とした脚（８３０）の最大回転角度を有する。
【０１８４】
いくつかの実施形態（図示せず）において、ラウンジャ（８０）が折り畳み状態にあるときには、各スラット（８２０）は支持具（８１５）に固定されており、ラウンジャ（８０）が展開状態にあるときには、解体されて取り付け具（８３５）に取り付けられる。取り付け具（８３５）は、例えば、スラット（８２０）を支持具（８１５）にスナップ留めまたはネジ止めするための機構である。
【０１８５】
いくつかの実施形態（図示せず）において、各スラット（８２０）は、取り外し可能な取り付け具（８３５）として機能するヒンジによって、支持具（８１５）に関連付けられている。折り畳み状態では、各スラット（８２０）は支持具（８１５）の収容部内に配置されており、スラット（８２０）の展開を実現するためには、スラット（８２０）をヒンジに関して回転変位させる。ヒンジは、このスラット（８２０）の展開／折り畳みに対応した位置でスラット（８２０）の回転をロックするための、戻り止め係止装置を備えることができる。この戻り止め装置は、戻り止め装置とスラット（８２０）との接触を解除する押しボタンを押圧することによって、解除することができる。
【０１８６】
いくつかの実施形態（図示せず）において、取り付け具（８３５）は滑り継手であり、スラット（８２０）はスライドして、退避した格納位置から、支持具（８１５）の収容部の外の使用位置に移行することが可能である。
【０１８７】
いくつかの実施形態（図示せず）において、支持具（８１５）と少なくとも１つのスラット（８２０）によって形成されるアセンブリは、単一の一体ブロックを形成し、この場合、スラット（８２０）は、支持具（８１５）から取り外し不可能である。
【０１８８】
別の実施形態では、各スラット（８２０）は、支持具（８１５）から独立しており、一体のブロックを形成するように支持具（８１５）に取り付けられる。
【０１８９】
別の実施形態では、支持具（８１５）および関連付けられた各スラット（８２０）に弾性バンドが貫通しており、支持具（８１５）および関連付けられたスラット（８２０）は、剛性管によって連結された管形状を有する。弾性バンドの長さは、支持具（８１５）と関連付けられたスラット（８２０）が剛性管で連結されたときに弾性バンドが伸張されるように選択される。
【０１９０】
いくつかの実施形態において、図１０に示すように、布（８０５）は、ハーネス（８４５）を有する。このハーネス（８４５）によって、布（８０５）に対して配置された幼児を定位置に固定することが可能である。このハーネス（８４５）は、例えば、ストラップとクイッククリップによる３点または５点取り付けのハーネスである。
【０１９１】
いくつかの実施形態において、図１０に示すように、ラウンジャ（８０）は、布（８０５）に向けて吊下される可動要素（８５５）を支持するためのアーチ（８５０）を備える。このアーチ（８５０）は、例えば、プラスチックまたは金属材料で構成された１つ以上のロッドによって形成されており、このアーチ（８５０）は、布（８０５）を少なくとも部分的に覆うように構成されている。
【０１９２】
このアーチ（８５０）は、布（８０５）、少なくとも１つのスラット（８２０）、少なくとも１つの支持具（８１５）、またはラウンジャ（８０）の支持体上の面、に固定される。
【０１９３】
このアーチ（８５０）は、吊下された少なくとも１つの可動要素（８５５）を有し、この要素（８５５）は、例えば、布（８０５）に対して配置された幼児が手を伸ばして触れる範囲内に位置決めされた玩具またはぬいぐるみである。
【０１９４】
種々の実施形態において、このアーチ（８５０）は、矩形または多角形の形状を有する。
【０１９５】
いくつかの実施形態において、図１１に示すように、ラウンジャ（８０）は、取り外し可能な保護オーニング（８６０）を備え、これは、布（８０５）、またはスラット（８２０）の支持具（８１５）に固定可能であって、布（８０５）の少なくとも一部を覆っている。
【０１９６】
このオーニング（８６０）は、例えば、布（８０５）、またはスラット（８２０）の支持具（８１５）に固定された、概ね半円筒形状の可撓性構造体である。このオーニング（８６０）は、例えば、紫外線をフィルタリング除去する少なくとも部分的に不透明な布を含む。
【０１９７】
いくつかの実施形態において、図１２に示すように、ラウンジャ（８０）は、オーニング（８６０）および布（８０５）に取り付けられたメッシュ布（８６５）を備え、これは、オーニング（８６０）によって覆われた部分とは別の布（８０５）部分を覆っている。
【０１９８】
メッシュ布（８６５）は、例えば、パイルアンドフック機構またはクリップによって、オーニング（８６０）および布（８０５）に取り付けられる。メッシュ布（８６５）のメッシュは、好ましくは、蚊のような虫がメッシュ布（８６５）を通り抜けることができない間隔を有するべきである。
【０１９９】
種々の実施形態において、このメッシュ布（８６５）には、殺虫剤を染み込ませてある。
【０２００】
いくつかの実施形態において、図１０に示すように、ラウンジャ（８０）は、ラウンジャ（８０）の近傍またはラウンジャにおける温度を検出するための手段（８７０）と、検出された温度を表す情報を伝達する手段（８７５）と、を備える
【０２０１】
温度検出手段（８７０）は、例えば、ラウンジャ（８０）の構成要素の１つに配置された電子温度計である。
【０２０２】
伝達手段（８７５）は、例えば、温度によって、または検出手段（８７０）が発行したコマンドによって、検出された温度に応じた色に変わるペレットである。
【０２０３】
別の実施形態では、この伝達手段（８７５）は、検出された温度を表す情報を表示する画面である。
【０２０４】
別の実施形態では、この伝達手段（８７５）は、検出された温度に応じた光信号を発する発光ダイオードである。
【０２０５】
別の実施形態では、伝達手段（８７５）は、無線信号を遠隔端末に送信するように構成されたアンテナであり、その無線信号は、検出された温度を表す情報、または検出された温度が所定の限界値を超えたことを表す情報、を含んでいる。このアンテナは、例えば、Ｂｌｕｅｔｏｏｔｈ（登録商標）規格、「Ｗｉ−Ｆｉ」と呼ばれるＩＥＥＥ８０２．１１、またはラジオ周波数による発信用に構成されている。
【０２０６】
いくつかの実施形態において、図１０に示すように、ラウンジャ（８０）は、スラット（８２０）の支持具（８１５）に取り付けられた画像取得装置（８８０）と、取得した画像を伝送する手段（８８５）と、を備える。
【０２０７】
画像取得装置（８８０）は、例えば、スラット（８２０）の支持具（８１５）に固定された機械部品（８９５）に取り付けられた光学取得装置である。この画像取得装置（８８０）に通電されているときには、常に撮像が行われる。別の実施形態では、画像取得装置（８８０）は、近傍での振動または音声信号の検出に応じて作動する。
【０２０８】
この画像取得装置（８８０）は、種々の実施形態において、取り外し可能である。
【０２０９】
取得した画像の伝送手段（８８５）は、例えば、無線信号を遠隔端末に送信するように構成されたアンテナであり、その無線信号は、少なくとも１つの取得画像を表す情報を含んでいる。このアンテナは、例えば、Ｂｌｕｅｔｏｏｔｈ規格、「Ｗｉ−Ｆｉ」と呼ばれるＩＥＥＥ８０２．１１、またはラジオ周波数による発信用に構成されている。種々の実施形態において、このアンテナは、伝達手段（８７５）を実現するのに用いられるアンテナと併合される。
【０２１０】
いくつかの実施形態において、図１０に示すように、ラウンジャ（８０）は、向き設定コマンドを受信したことに応じて制御される画像取得装置（８８０）を向き設定する手段（８９０）を備える。
【０２１１】
画像取得装置（８８０）を向き設定する手段（８９０）は、例えば、画像取得装置（８８０）を支持する機械部品であり、これは、自由に回転することができ、その回転はモータ（図示せず）によって実現される。そのモータの作動は、画像取得装置（８８０）に対する向き設定コマンドを受信手段（図示せず）で受信することによって制御される。受信手段は、例えば、向き設定コマンドを表す情報を含む無線信号を受信するように構成されたアンテナである。このアンテナは、例えば、Ｂｌｕｅｔｏｏｔｈ規格、「Ｗｉ−Ｆｉ」と呼ばれるＩＥＥＥ８０２．１１、またはラジオ周波数による発信用に構成されている。種々の実施形態において、このアンテナは、伝達手段（８７５）を実現するのに用いられるアンテナ、または伝送手段（８８５）を実現するのに用いられるアンテナ、と併合される。
【０２１２】
種々の実施形態において、画像取得装置（８８０）は、２つの直交する回転軸に沿って可動である。
【０２１３】
例えば、向き設定コマンドは、例えば、スマートフォンまたはデジタルタブレットのような、利用者の通信用携帯端末で発行される。
【０２１４】
種々の実施形態において、受信されるコマンドとして、
−  画像の連続ストリームの送信を求めるコマンド、
−  画像の定期的な送信を求めるコマンド、
−  画像の送信頻度を変更するコマンド、および／または、
−  画像取得装置（８８０）の作動パラメータを変更するコマンド、が含まれる。
【０２１５】
種々の実施形態において、実装されるアンテナは、ラウンジャ（８０）の装置のいずれかに通電する自立電源の充電レベルを表す情報を含む無線信号を送信するように構成される。
【０２１６】
図１３は、布（８０５）とロッド（８１０）で形成されるアセンブリを折り畳み状態で示している。
【０２１７】
図１４は、縮尺通りではないが、本発明に係るラウンジャ（８０）のスラット（９２０）の支持具（９０）の具体的な実施形態を概略的に断面で示している。図１４では、支持具（９０）は折り畳み状態にある。
【０２１８】
この支持具（９０）は、
−  互いに反対方向にスライドするスラット（９２０）のための２つの収容部（９０５）と、
−  ヒンジ（９１５）に取り付けられた脚（９１０）と、を有する。
【０２１９】
脚（９１０）は、収容部の幅と同様の幅を有し、スラット（９２０）が展開されるときには、脚（９１０）を支持具（９０）の内部から外に引き出すことができる。スラット（９２０）を退避させているときには、脚（９１０）は、２つのスラット（９２０）の間に挟持される。
【０２２０】
図１５は、縮尺通りではないが、スラット（９２０）が展開されるとともに、脚（９１０）が引き出されたときの、支持具（９０）を概略的に断面で示している。
【０２２１】
図１６は、縮尺通りではないが、図１０を参照して説明したような装置（８０）を概略的に側面で示しており、この場合、脚（８３０）は、スラット（８２０）の支持具（８１５）内に折り畳まれている。
【０２２２】
従って、本説明を読解することで分かるように、本発明に係るラウンジャ（８０）は、折り畳み状態での寸法が削減されている。さらに、ラウンジャ（８０）の重量は、通常使用されているラウンジャの重量と比べて、かなり減少している。このような構成によれば、ラウンジャ（８０）は、ラウンジャの「ＥＮ８２７９０」規格に適合する。
【図１】
0006669757.tif 000002
【図２】
0006669757.tif 000003
【図３】
0006669757.tif 000004
【図４】
0006669757.tif 000005
【図５】
0006669757.tif 000006
【図６】
0006669757.tif 000007
【図７】
0006669757.tif 000008
【図８】
0006669757.tif 000009
【図９】
0006669757.tif 000010
【図１０】
0006669757.tif 000011
【図１１】
0006669757.tif 000012
【図１２】
0006669757.tif 000013
【図１３】
0006669757.tif 000014
【図１４】
0006669757.tif 000015
【図１５】
0006669757.tif 000016
【図１６】
0006669757.tif 000017